(57)【要約】【課題】穿刺用アダプタが小型化された場合でも、人体の表面から深い位置に位置する穿刺対象部位への穿刺を精度良く行うことである。【解決手段】穿刺用アダプタにおいて、穿刺針をスライド可能にガイドする第１ガイド部９を有する第１ガイド体６と、第１ガイド体６に取り付けられ、第１ガイド部９の延長線上に位置して第１ガイド部９との距離を可変する位置へ移動可能な第２ガイド部７ｄを有する第２ガイド体７と、を備える。【選択図】    図３
2008289800.tif 000002
【特許請求の範囲】
【請求項１】
穿刺針をスライド可能にガイドする第１ガイド部を有する第１ガイド体と、
前記第１ガイド体に取り付けられ、前記第１ガイド部の延長線上に位置して前記第１ガイド部との距離を可変する位置へ移動可能な第２ガイド部を有する第２ガイド体と、
を備えることを特徴とする穿刺用アダプタ。
【請求項２】
前記第２ガイド体は、前記第１ガイド体から引き出される位置と前記第１ガイド体に入り込む位置とに伸縮可能に前記第１ガイド体に取り付けられていることを特徴とする請求項１記載の穿刺用アダプタ。
【請求項３】
前記第２ガイド体は、前記第１ガイド体から引き出される位置と前記第１ガイド体に入り込む位置とにスライド可能に前記第１ガイド体に取り付けられ、前記第２ガイド体を複数の位置で固定する固定手段を有することを特徴とする請求項１記載の穿刺用アダプタ。
【請求項４】
超音波プローブと、
前記超音波プローブに取り付けられる請求項１ないし３のいずれか一記載の穿刺用アダプタと、
を備えることを特徴とする穿刺用プローブ装置。
【発明の詳細な説明】
【技術分野】
【０００１】
本発明は、穿刺用アダプタ及び穿刺用プローブ装置に関し、特に、穿刺針の穿刺寸法が大きい場合でも精度のよい穿刺を行うことができる穿刺用アダプタ及び穿刺用プローブ装置に関する。
【背景技術】
【０００２】
下記特許文献１に記載されているように、超音波プローブに穿刺用アダプタを取り付けた穿刺用プローブ装置が知られている。この穿刺用プローブ装置によれば、超音波プローブの超音波振動子が発する超音波によって穿刺対象部位の断面画像データを取得し、取得した断面画像データに基づいて作成した画像を表示部に表示し、表示された画像を見ながら目的とする穿刺対象部位に穿刺針を穿刺する。
【０００３】
穿刺用アダプタには、穿刺する穿刺針をガイドするガイド部が設けられている。穿刺針の穿刺は、穿刺針をガイド部に沿ってスライドさせることにより行われる。
【０００４】
穿刺用プローブ装置を使用して穿刺する場合には、一方の片手で穿刺用プローブ装置を把持して超音波プローブを人体に押し当て、穿刺用プローブ装置を移動することにより穿刺対象部位の断面画像データを取得し、穿刺対象部位の画像を表示部に表示させる。穿刺対象部位の画像を表示部に表示させた後、その画像を見ながら他方の片手で穿刺針をスライドさせ、穿刺を行う。このように、穿刺用プローブ装置を把持して移動させる操作を片手で行うため、穿刺用プローブ装置の操作性を向上させるためには穿刺用プローブ装置を小型化することが望ましい。穿刺用プローブ装置が小型化されると、それに伴って穿刺針アダプタが小型化される。
【特許文献１】特開２００５−３４２７３号公報
【発明の開示】
【発明が解決しようとする課題】
【０００５】
しかしながら、前述の穿刺用アダプタ及び穿刺用プローブ装置によれば、以下の点について配慮がなされていない。
【０００６】
穿刺針アダプタが小型化されると、それに伴って穿刺針をガイドするガイド部の長さ寸法が短くなる。ガイド部の長さ寸法が短くなると、穿刺された穿刺針が人体内で曲がり易くなり、穿刺精度が低下する。
【０００７】
特に、穿刺対象部位が肝臓などのように人体の表面から深い位置にあり、穿刺針の穿刺寸法が大きい場合には、穿刺された穿刺針の人体内での曲がりが大きくなり易い。
【０００８】
一方、ガイド部の長さ寸法が長くなれば、穿刺針の穿刺寸法が大きい場合でも、穿刺された穿刺針の人体内での曲がりが低減される。
【０００９】
しかし、ガイド部の長さ寸法を長くすると、それに伴って穿刺用アダプタ及び穿刺用プローブ装置が大きくなり、操作性が悪くなる。
【００１０】
本発明はこのような課題を解決するためになされたもので、その目的は、穿刺用アダプタが小型化された場合でも、人体の表面から深い位置に位置する穿刺対象部位への穿刺を精度良く行うことができる穿刺用アダプタ及び穿刺用プローブ装置を提供することである。
【課題を解決するための手段】
【００１１】
本発明の実施の形態に係る第１の特徴は、穿刺用アダプタにおいて、穿刺針をスライド可能にガイドする第１ガイド部を有する第１ガイド体と、前記第１ガイド体に取り付けられ、前記第１ガイド部の延長線上に位置して前記第１ガイド部との距離を可変する位置へ移動可能な第２ガイド部を有する第２ガイド体と、を備えることである。
【００１２】
本発明の実施の形態に係る第２の特徴は、穿刺用プローブ装置において、超音波プローブと、前記超音波プローブに取り付けられる請求項１ないし３のいずれか一記載の穿刺用アダプタと、を備えることである。
【発明の効果】
【００１３】
本発明によれば、穿刺用アダプタが小型化された場合でも、穿刺する穿刺針をガイドする寸法を必要に応じて長くすることができ、人体の表面から深い位置に位置する穿刺対象部位への穿刺を精度良く行うことができる。
【発明を実施するための最良の形態】
【００１４】
以下、本発明の実施の形態を図面を用いて説明する。
【００１５】
（第１の実施の形態）
本発明の第１の実施の形態に係る穿刺用プローブ装置１は、図１に示すように、超音波プローブ２に穿刺用アダプタ３が着脱可能に取り付けられている。穿刺用アダプタ３には、穿刺針４がスライド可能に取り付けられている。穿刺用アダプタ３は、ホルダ５と、第１ガイド体６と、第２ガイド体７と、穿刺針押え部８とを備えている。
【００１６】
ホルダ５は、ヒンジ（図示せず）を備えてこのヒンジを支点とて回動可能に設けられた帯状部材であり、超音波プローブ２の外周を囲む位置に着脱可能に取り付けられている。
【００１７】
第１ガイド体６は、ホルダ５に固定されている。第１ガイド体６には、穿刺針４をスライド可能にガイドする第１ガイド部９が形成されている。第１ガイド部９は、図３に示すように、断面形状がＶ字形の溝状に形成されている。
【００１８】
さらに、第１ガイド体６には、第１ガイド部９の長手方向に沿った両側に位置する一対の収容凹部１０と、各収容凹部１０に連通する保持孔１１とが形成されている。
【００１９】
穿刺針抑え部８は、図２において実線で示す位置と破線で示す位置とに回動可能にホルダ５に取り付けられている。穿刺針押え部８が実線で示す位置に回動することにより、穿刺針４の側面が第１ガイド体６と穿刺針押え部８とにより押えられ、穿刺針４は第１ガイド体６と穿刺針押え部８とにより押えられた状態でスライド可能となる。穿刺針押え部８が破線で示す位置に回動することにより、第１ガイド体６と穿刺針押え部８とが離反する。これにより、穿刺針４の側面が第１ガイド部９に接する位置に穿刺針４を取り付けることができ、又は、穿刺針４を第１ガイド体６と穿刺針押え部８とにより押えられる位置から取り出すことができる。
【００２０】
第２ガイド体７は、図４に示すように、一本のワイヤを略Ｕ字形に成形することにより形成され、伸縮性を有している。この第２ガイド体７は、対向して位置する一対の脚部７ａと、脚部７ａの一端側に形成された一対の係止部７ｂと、脚部７ａの他端側に形成されて一対の脚部７ａを連結する連結部７ｃとを有している。連結部７ｃには、第２ガイド部７ｄと爪部７ｅとが形成されている。
【００２１】
第２ガイド体７は、第１ガイド体６から引き出される位置と第１ガイド体６に入り込む位置とに伸縮可能に第１ガイド体６に取り付けられている。第１ガイド体６への第２ガイド体７の取り付けは、第２ガイド体７の脚部７ａを収容凹部１０に収容し、係止部７ｂを保持孔１１に差し込むことにより行われている。第２ガイド体７の伸縮は、脚部７ａを伸ばすことにより、又は、脚部７ａを湾曲させることにより行われる。図４（ａ）及び図３（ａ）に示すように、脚部７ａを湾曲させることにより、第２ガイド体７が縮む。一方、図４（ｂ）及び図３（ｂ）に示すように、脚部７ａを直線状に伸ばすことにより、第２ガイド体７が伸びる。なお、収容凹部１０の内周面が湾曲した脚部７ａの形状に倣った形状に形成されており、脚部７ａを湾曲させた場合に脚部７ａが収容凹部１０の内周面に当接し、当接箇所の摩擦力により脚部７ａは湾曲状態を維持され、第２ガイド体７は縮んだ状態に維持される。
【００２２】
第２ガイド体７が第１ガイド体６に取り付けられている場合に、第２ガイド部７ｄは第１ガイド部９の延長線上に位置し、第２ガイド体７の伸縮に伴って第１ガイド部９の端部と第２ガイド部７ｄとの距離が変化する。例えば、図３（ａ）に示すように第２ガイド体７を縮めた場合には、第１ガイド部９の端部と第２ガイド部７ｄとの距離ａが短くなる。また、図３（ｂ）に示すように第２ガイド体７を伸ばした場合には、第１ガイド部９の端部と第２ガイド部７ｄとの距離ｂが長くなる。
【００２３】
穿刺針４が穿刺のためにスライドされる場合、穿刺針４は第１ガイド部９と第２ガイド部７ｄとによりガイドされる。このため、図３（ａ）に示すように第２ガイド体７を縮めた場合には、穿刺針４が第１ガイド部９と第２ガイド部７ｄとによりスライド可能にガイドされる長さは、“第１ガイド部９の全長＋ａ”となる。一方、図３（ｂ）に示すように第２ガイド体７を伸ばした場合には、穿刺針４が第１ガイド部９と第２ガイド部７ｄとによりスライド可能にガイドされる長さは、“第１ガイド部９の全長＋ｂ（但し、第１ガイド部９の全長＋ｂ＞第１ガイド部９の全長＋ａ）”となる。
【００２４】
爪部７ｅは、第２ガイド体７を伸縮させる場合の操作部として用いられる。爪部７ｅを把持し、爪部７ｅに第２ガイド体７を伸縮する方向へ力を加えることにより、第２ガイド体７は図３（ａ）に示す縮んだ位置、又は、図３（ｂ）に示す伸びた位置へ伸縮する。
【００２５】
このような構成において、穿刺対象部位が人体の表面から浅い位置に位置する場合には、図３（ａ）に示すように、第２ガイド体７を縮ませる。この操作は、爪部７ｅを把持し、第２ガイド体７が収容凹部１０内に入り込む方向へ力を加えることにより行う。第２ガイド体７は、図４（ａ）に示すように、脚部７ａが湾曲した状態となる。
【００２６】
一方、穿刺対象部位が人体の表面から深い位置に位置する場合は、図３（ｂ）に示すように、第２ガイド体７を伸ばす。この操作は、爪部７ｅを把持し、第２ガイド体７を収容凹部１０内から引き出す方向へ力を加えることにより行う。第２ガイド体７は、図４（ｂ）に示すように、脚部７ａが直線状に伸びた状態となる。
【００２７】
図３（ｂ）に示すように第２ガイド体７を伸ばした場合には、穿刺針４をガイドする長さ“第１ガイド部９の全長＋ｂ”を長くすることができる。穿刺される穿刺針４をガイドする長さが長くなることにより、穿刺された穿刺針４の人体内での曲がりが発生しにくくなる。したがって、穿刺対象部位が人体の表面から深い位置に位置する場合でも、穿刺針４を穿刺対象部位に正確に穿刺することが可能となり、穿刺精度を向上させることができる。
【００２８】
一方、穿刺対象部位が人体の表面から浅い位置に位置する場合には、穿刺された穿刺針４の人体内での曲がりが発生しにくいので、穿刺針４をガイドする長さを短くしてもよい。そこで、図３（ａ）に示すように、第２ガイド体７を縮めた状態で穿刺を行う。図３（ａ）に示すように第２ガイド体７を縮めた状態とすることにより、第１ガイド体６からの第２ガイド体７の突出寸法が小さくなり、第１ガイド体６と第２ガイド体７とを有する穿刺用アダプタ３の外形寸法を小さくすることができる。穿刺用アダプタ３の外形寸法が小さくなることにより、この穿刺用アダプタ３が取り付けられた穿刺用プローブ装置１の小型化を図ることができる。さらに、穿刺用プローブ装置１が小型化されることにより、穿刺作業時における穿刺用プローブ装置１の操作性を向上させることができる。
【００２９】
従って、この穿刺用アダプタ３及び穿刺用プローブ装置１によれば、穿刺用アダプタ３及び穿刺用プローブ装置１の小型化を図ることによる穿刺用プローブ装置１の操作性の向上を図ることができる。さらに、穿刺対象部位が人体の表面から深い位置に位置する場合においては、第２ガイド体７を伸ばすことにより穿刺針４をスライドさせる際に穿刺針４をガイドする長さを長くすることができ、穿刺精度の向上を図ることとができる。
【００３０】
（第２の実施の形態）
本発明の第２の実施の形態に係る穿刺用プローブ装置について、図５ないし図７に基づいて説明する。なお、第１の実施の形態において説明した構成要素と同じ構成要素には同じ符号を付し、重複する説明は省略する。
【００３１】
第２の実施の形態に係る穿刺用プローブ装置は、図１に示した穿刺用プローブ装置１と同じように、超音波プローブに穿刺用アダプタ２０が着脱可能に取り付けられている。穿刺用アダプタ２０は、図５に示すように、ホルダ（図示せず）と、第１ガイド体２１と、第２ガイド体２２と、穿刺針押え部８とを備えている。
【００３２】
第１ガイド体２１には、図６に示すように、穿刺針４をスライド可能にガイドする第１ガイド部９が形成されている。第１ガイド部９は、断面形状がＶ字形の溝状に形成されている。
【００３３】
さらに、第１ガイド体２１には、第１ガイド部９の長手方向に沿った両側に位置する一対の長尺形状の収容凹部２３と、収容凹部２３の内周面に第１ガイド部９の長手方向に沿って位置する球面形状にへこんだ３つの係合凹部２４ａ、２４ｂ、２４ｃとが形成されている。
【００３４】
第２ガイド体２２は、図６に示すように、一対の脚部２２ａと、一対の脚部２２ａの一端側を連結する連結部２２ｂとを有している。連結部２２ｂには、第２ガイド部２２ｃと爪部２２ｄとが形成されている。さらに、脚部２２ａには、図７に示すように保持凹部２５が形成され、保持凹部２５内には、球体２６と球体２６を保持凹部２５から押し出す向きに付勢するスプリング２７とが保持されている。
【００３５】
第２ガイド体２２は、第１ガイド体２１から引き出される位置と第１ガイド体２１に入り込む位置とにスライド可能に第１ガイド体２１に取り付けられている。第１ガイド体２１への第２ガイド体２２の取り付けは、第２ガイド体２２の脚部２２ａを第１ガイド体２１の収容凹部２３に収容することにより行われている。
【００３６】
収容凹部２３の内周面に形成されている係合凹部２４ａ、２４ｂ、２４ｃは、第１ガイド体２１に取り付けられた第２ガイド体２２をスライドさせた場合に、球体２６が移動する軌跡に対向する位置に形成されている。このため、第２ガイド体２２を第１ガイド体２１の最も奥まった位置にスライドさせた場合には、図６（ａ）に示すように、スプリング２７により付勢された球体２６が収容凹部２３内の最も奥側に位置する係合凹部２４ａに弾発的に係合し、第２ガイド体２２が位置固定される。また、第２ガイド体２２を第１ガイド体２１の最も外側へ引き出した位置にスライドさせた場合には、図６（ｂ）に示すように、スプリング２７により付勢された球体２６が収容凹部２３内の最も外側に位置する係合凹部２４ｃに弾発的に係合し、第２ガイド体２２が位置固定される。そして、これらの球体２６とスプリング２７と係合凹部２４ａ、２４ｂ、２４ｃとにより、第２ガイド体２２を３箇所の位置で固定する固定手段が形成されている。
【００３７】
なお、この第２の実施の形態では、３つの係合凹部２４ａ、２４ｂ、２４ｃを有して３箇所の位置で第２ガイド体２２を位置固定する場合を示したが、位置固定する箇所は３箇所に限られるものではなく、２箇所、又は、４箇所以上であってもよい。
【００３８】
第２ガイド体２２が第１ガイド体２１に取り付けられている場合に、第２ガイド部２２ｃは第１ガイド部９の延長線上に位置し、第２ガイド体２２のスライド動作に伴って第１ガイド部９の端部と第２ガイド部２２ｃとの距離が変化する。例えば、図７（ａ）に示すように収容凹部２３の最も奥まった位置に位置する係合凹部２４ａに球体２６を係合させた場合には、第１ガイド部９の端部と第２ガイド部２２ｃとの距離ａが短くなる。また、図７（ｂ）に示すように収容凹部２３の最も外側に位置する係合凹部２４ｃに球体２６を係合させた場合には、第１ガイド部９の端部と第２ガイド部２２ｃとの距離ｂが長くなる。
【００３９】
穿刺針４が穿刺のためにスライドされる場合、穿刺針４は第１ガイド部９と第２ガイド部２２ｃとによりガイドされる。このため、図６（ａ）及び図７（ａ）に示すように、球体２６が係合凹部２４ａに係合される位置に第２ガイド体２２をスライドさせた場合には、穿刺針４が第１ガイド部９と第２ガイド部２２ｃとによりスライド可能にガイドされる長さは、“第１ガイド部９の全長＋ａ”となる。一方、図６（ｂ）及び図７（ｂ）に示すように、球体２６が係合凹部２４ｃに係合される位置に第２ガイド体２２をスライドさせた場合には、穿刺針４が第１ガイド部９と第２ガイド部２２ｃとによりスライド可能にガイドされる長さは、“第１ガイド部９の全長＋ｂ（但し、第１ガイド部９の全長＋ｂ＞第１ガイド部９の全長＋ａ）”となる。
【００４０】
爪部１１ｄは、第２ガイド体２２をスライドさせる場合の操作部として用いられる。爪部２２ｄを把持し、爪部２２ｄに第２ガイド体２２をスライドさせる方向へ力を加えることにより第２ガイド体２２がスライドする。スライドした第２ガイド体２２は、球体２６がいずれかの係合凹部２４ａ、２４ｂ、２４ｃに弾発的に係合する位置で位置固定される。
【００４１】
このような構成において、穿刺対象部位の位置に応じて第２ガイド体２２をスライドさせ、球体２６をいずれかの係合凹部２４ａ、２４ｂ、２４ｃに弾発的に係合させることにより、第２ガイド体２２を位置固定することができる。
【００４２】
このため、穿刺対象部位が人体の表面から浅い位置に位置する場合には、第２ガイド体２２を図６（ａ）及び図７（ａ）に示す位置にスライドさせ、球体２６を係合凹部２４ａに係合させて第２ガイド体２２を位置固定する。この操作は、爪部２２ｄを把持し、第２ガイド体２２が収容凹部２３内に入り込む方向へ力を加えることにより行う。
【００４３】
一方、穿刺対象部位が人体の表面から深い位置に位置する場合には、第２ガイド体２２を図６（ｂ）及び図７（ｂ）に示す位置にスライドさせ、球体２６を係合凹部２４ｃに係合させて第２ガイド体２２を位置固定する。この操作は、爪部２２ｄを把持し、第２ガイド体２２を収容凹部２３内から引き出す方向へ力を加えることにより行う。
【００４４】
図６（ｂ）及び図７（ｂ）に示すように、球体２６が係合凹部２４ｃに係合する位置に第２ガイド体２２をスライドさせた場合には、穿刺針４をガイドする長さ“第１ガイド部９の全長＋ｂ”を長くすることができる。穿刺される穿刺針４をガイドする長さが長くなることにより、穿刺針４が人体に穿刺された後に、穿刺された穿刺針４の人体内での曲がりが発生しにくくなる。したがって、穿刺対象部位が人体の表面から深い位置に位置する場合でも、穿刺針４を穿刺対象部位に正確に穿刺することが可能となり、穿刺精度を向上させることができる。
【００４５】
一方、穿刺対象部位が人体の表面から浅い位置に位置する場合には、穿刺された穿刺針４の人体内での曲がりが発生しにくいので、穿刺針４をガイドする長さを短くしてもよい。そこで、図６（ａ）及び図７（ａ）に示すように、球体２６が係合凹部２４ａに係合する位置に第２ガイド体２２をスライドさせた場合には、穿刺針４をガイドする長さ“第１ガイド部９の全長＋ａ”を短くすることができる。これにより、第１ガイド体２１からの第２ガイド体２２の突出寸法が小さくなり、第１ガイド体２１と第２ガイド体２２とを有する穿刺用アダプタ２０の外形寸法を小さくすることができる。穿刺用アダプタ２０の外形寸法が小さくなることにより、この穿刺用アダプタ２０が取り付けられた穿刺用プローブ装置の小型化を図ることができる。さらに、穿刺用プローブ装置が小型化されることにより、穿刺作業時における穿刺用プローブ装置の操作性を向上させることができる。
【００４６】
従って、この穿刺用アダプタ２０及び穿刺用プローブ装置によれば、穿刺用アダプタ２０及び穿刺用プローブ装置の小型化を図ることによる穿刺用プローブ装置の操作性の向上を図ることができる。さらに、穿刺対象部位が人体の表面から深い位置に位置する場合においては、第２ガイド体２２を伸ばすことにより穿刺針４をスライドさせる際の穿刺針４をガイドする長さを長くすることができ、穿刺精度の向上を図ることとができる。
【図面の簡単な説明】
【００４７】
【図１】本発明の第１の実施の形態に係る穿刺用プローブ装置を示す平面図である。
【図２】穿刺用アダプタを示す正面図である。
【図３】穿刺用アダプタの一部である第１ガイド体と第２ガイド体とを示す斜視図である。
【図４】第２ガイド体を示す斜視図である。
【図５】本発明の第２の実施の形態に係る穿刺用アダプタを示す正面図である。
【図６】穿刺用アダプタの一部である第１ガイド体と第２ガイド体とを示す斜視図である。
【図７】第１ガイド部への第２ガイド部の取り付け状態を示す断面図である。
【符号の説明】
【００４８】
２      超音波プローブ
３      穿刺用アダプタ
４      穿刺針
６      第１ガイド体
７      第２ガイド体
７ｄ    第２ガイド部
２０      穿刺用アダプタ
２１      第１ガイド体
２２      第２ガイド体
２２ｃ    第２ガイド部
【図１】
2008289800.tif 000003
【図２】
2008289800.tif 000004
【図３】
2008289800.tif 000005
【図４】
2008289800.tif 000006
【図５】
2008289800.tif 000007
【図６】
2008289800.tif 000008
【図７】
2008289800.tif 000009